(57)【要約】【課題】お客に商品をより実感させやすく、かつ構成が簡便な商品紹介システムを提供すること。【解決手段】画像を光学的に投影する投影部と、投影される画像を映し出す投影面とを有し、商品の画像を前記投影面に投影して商品の紹介を行う商品紹介システムにおいて、投影面に、画像を商品と略等倍に投影する等倍投影手段を設けるようにした。また、投影部を複数設けた商品紹介システムとした。さらに、投影部より異なる画像を投影する商品紹介システム。【選択図】  図１
2004246233.tif 000002
【特許請求の範囲】
【請求項１】
画像を光学的に投影する投影部と、投影される画像を映し出す投影面とを有し、商品の画像を前記投影面に投影して商品の紹介を行う商品紹介システムにおいて、前記投影面に、前記画像を商品と略等倍に投影する等倍投影手段を設けたことを特徴とする商品紹介システム。
【請求項２】
前記投影部を複数設けたことを特徴とする請求項１記載の商品紹介システム。
【請求項３】
前記投影部より異なる画像を投影することを特徴とする請求項２記載の商品紹介システム。
【請求項４】
前記投影面を複数設けたことを特徴とする請求項１から３記載の商品紹介システム。
【発明の詳細な説明】
【０００１】
【発明の属する技術分野】
本発明は、商品の紹介を行う商品紹介システムに関し、特に商品画像を投影面に投影して商品の紹介を行う商品紹介システムに関する。
【０００２】
【従来の技術】
従来より、ショールーム等の施設において、商品をお客に紹介するための方法については、お客の理解を助けるために、各種の方法がとられてきた。例えば、商品の実物やミニチュアを設置したり、カタログや色見本を準備しておくのも、その方法の一つである。
【０００３】
また、高画質なモニターや音響を利用した商品を紹介するためのシステムも、見受けられる。例えば、商品を紹介したビデオをショールームで放映するといった方法がある。さらに、偏光眼鏡や眼鏡型のモニター等とコンピュータ技術を利用して、仮想空間を擬似体験させることで、商品の理解を高めるようなした、より高度な方法もある（例えば特許文献１）。
【０００４】
さらに、近年のインターネットなどのＩＴ技術の発達により、インターネットを経由して、３次元で対象商品をコンピュータの画面上に表示したり、シミュレーションできるようなシステムも、提案されている（例えば、特許文献２参照）。
【０００５】
【特許文献１】
特開２００１−２８３２５８号公報
【特許文献２】
特開２００１−１９５４９１号公報
【０００６】
【発明が解決しようとする課題】
しかしながら、例えばショールームなどの展示において、従来より行われてきた商品の実物の展示の場合、大型の商品や、増えてくる商品の種類や色違いによっては、展示するためのスペースが有限であるため、対応ができなくなってしまうという問題があった。
【０００７】
また、展示スペースをとらないという意味では、ミニチュアやカタログは有効であるが、これとて準備できる数には限界があり、さらにミニチュアやカタログでは、商品のスケール感や現実感に乏しい、といった課題があった。
これは、より多くの展示やシミュレーションをコンピュータの画面上に表示する仕組みであっても、同様である。
【０００８】
また、商品のスケール感や現実感をより表現できるという意味では、偏光眼鏡等とコンピュータ技術を利用して仮想空間を擬似体験させる方法は非常で有効ではあるが、システムを構成する機器の複雑化・高度化を招き、一般にコスト面も高価となってしまう傾向にある。さらに、機器の複雑化・高度化は、ショールーム等においてシステムの操作を行う説明者やオペレータにも、これらを操作する技量を要してしまう可能性もある。また、紹介を行うデータ準備等により、紹介に手間取ってしまう可能性もある。
さらに、偏光眼鏡等を用いた場合、複数のお客に対して商品の紹介を行う場合、必然的に複数の偏光眼鏡等が必要であるだけでなく、偏光眼鏡等そのものの装着をお客に不快とされてしまう可能性もある。
【０００９】
本発明は、上記課題を解決するためになされたもので、本発明は、商品画像を投影面に投影して商品の紹介を行う商品紹介システムにおいて、お客に商品をより実感させやすく、かつ構成が簡便な商品紹介システムを提供することを目的とする。
【００１０】
【課題を解決するための手段】
上記課題を解決するため、本発明の請求項１では、画像を光学的に投影する投影部と、投影される画像を映し出す投影面とを有し、商品の画像を投影面に投影して商品の紹介を行う商品紹介システムにおいて、投影面に、画像を商品と略等倍に投影する等倍投影手段を設けるようにした。
これにより、投影による表示であるため、投影面が確保できればよいため、設置スペースをあまりとらず、また画像を商品と略等倍（ほぼ同じ大きさ）で投影できるため、お客に商品の大きさを含めたスケール感やリアルさといった実感を持って商品を理解できる紹介システムとすることができる。特に、紹介したい商品が大きな場合や、施工を伴なうといったように実物の展示に制約を受けるような場合に、有効である。住宅用の設備機器や部材等もこれらの商品の一つである。
【００１１】
なお、画像を商品と略等倍で投影する等倍投影手段については、各画像に対してその都度、投影部が投影面に投影され画像の大きさを自動調整するようにしてもよい。また、システムの設置の際に、初期調整を行った後、指投影される商品画像を所定の大きさで準備するようにしてもよい。初期調整の際には、基準となる画像を準備して、投影面での大きさが所定となるように投影倍率を調整すると、簡便に行うことができる。また、投影面に対して投影部から画像が投影される光軸が傾いていた場合、これを補正するようにすると、投影面上での画像の大きさや形状に狂いが少なくなり、好適である。
【００１２】
なお、紹介を行う商品の性質によっては、投影面は必ずしも平面・平滑でなくてもよい。例えば、商品の形状は一定で、色や柄違いのみ、お客に示したい場合、対象となる商品の形を模した投影面を用いてもよい。さらには、商品そのものを投影面として投影するようにしてもよい。
扉面、壁材、カーテン等、触った際の質感を重視して選定し、その後、色・柄を選定するような場合、投影面そのものが商品であるため、現実感が高いのは言うまでも無い。
【００１３】
また、本発明の請求項２では、投影部を複数設けるようにした。
これにより、投影部から投影される画像を二重とすることができ、明るい投影画像を得ることができ、投影画像に対するお客からの視認性を上げた紹介システムとすることができる。また、複数の投影部を設けることにより、同じ光量を得るために一つの投影部を用いるよりも、一般に小型化も可能となる。小型化は、個々の投影部の軽量化にも繋がり、投影部を例えば天井部や壁面に設置するといった際に、取り付け強度の面で有利となる。また、複数の投影部によれば、仮に一方が故障した場合であっても、もう一方の投影部により商品の紹介を継続することが可能となり、お客の随時訪れ、商品紹介を停止させるのが問題となるショールーム等にとっては、非常に有利となる。
【００１４】
なお、複数の投影部を用いた場合、投影面に投影される画像が、正確に重複するかといったことが問題となるが、これについては、投影部や投影面を設置した時点での初期調整を十分に行うことで、対処可能となる。但し、投影部に交換を要するランプを用いていた場合には、ランプの取り付け誤差も発生するため、初期調整をし直しておくとが、望ましい。初期調整に当たっては、同一の画像を投影面に投影して調整すれば、よい。なお、目視にて調整を行う場合等には、一方の画像について、色を変えておく等すると、調整がより容易となる。投影部が２つを超える場合には、より有効である。例えば、３個の場合、光の三原色を割り振れば、白色となった部分は、画像同士がきちんと調整がとれたことが、目視で判断できる。
【００１５】
また、本発明の請求項３では、複数の投影部から異なる画像を投影するようにした。
これにより、複数の投影画像の重ね合わせが可能となり、より表現力の高い商品紹介を行うことができる。
一方の投影画像を背景として、その中に商品を表示することができるが、例えば、部屋の雰囲気（壁・床・天井）の画像を投影した上で、その中に置かれる商品を投影することで、その雰囲気に商品があっているのかどうか、お客が確認することができる。逆に、商品を先に決めておいて、これにあった雰囲気を示す画像の方を変えていってもよい。これは、先に住宅内の設備を先に決めた後、床材・壁材・天井材を決めていくといった紹介の場合に有効である。
また、色を指定しない商品（白色等）を投影しておいて、色や柄を投影することで、お客が好みの色や柄を選ぶ際の支援を行う、といったことも可能である。
【００１６】
また、投影される画像については静止画のみである必要はなく、一方を動画としてもよい。例えば、動作を伴なう商品の場合、その動作の様子を、一方の投影部から投影するようにしてもよい。なお、投影面において動作させる部分のみを動画として投影する場合、動画を例えば電子データとして保持しておく際に、投影面全体サイズの画像を保持しておくよりも、コンピュータのメモリーといった記憶資源の容量面でも有利となる。
また、投影対象として、お客自身を投影するようにしてもよい。お客が一人で来た場合、お客自身が投影面近くで商品の大きさを実感するのに自分自身を同時に見ることは当然不可能であるが、商品の投影画像にお客自身の画像を投影することで、商品の大きさの理解が、より容易となる。なお、お客自身の画像については静止画でもよいが、動画とすることでより現実感を向上させ、お客の理解を助けることができる。
【００１７】
また、実際の商品画像の重ね合わせという表現でなく、一方の投影部からの画像を、照明による雰囲気を模したものとしてもよい。例えば、商品のみならず、商品が置かれた環境での照明の色の違いによる雰囲気を把握したりすることが可能となる。また、老齢化に伴なう視力障害による見え方の違いをシミュレーションして、視認性の高い商品や設定についてお客に紹介することもできる。
【００１８】
また、本発明の請求項４では、投影面を複数設けるようにした。
これにより、投影先を変えた投影が可能となり、さらに表現力の高い紹介システムとすることができる。
例えば、住宅内に設置される機器の場合、床置きされるものが当然ながら多いが、床に置いた際のイメージをお客に理解してもらうには、投影面一つだとわかりにくいことがあるが、２つの投影面をショールームの壁面と床に角度を持たせて設置し、床部分の投影面には床材等の画像を、壁面の投影面には壁材等の画像を投影することで、理解しやすくことができる。壁面と天井といった投影面の配置としてもよい。
また、住宅内に置かれる設備としてシステムキッチン等があるが、これについては、アルファベットのＬ字状のものがあり、一つの投影面に全体を映してお客に紹介するのが困難であるため、非常に有効である。
【００１９】
なお、これらの表示方法については、コンピュータによる仮想現実を利用したシステムで可能となってはいるが、擬似的ではあるにせよ、より簡便な仕組みで実現することが可能となってくる。
【００２０】
【発明の実施の形態】
本発明の内容の理解を助けるため、以下に実施例を用いて詳説する。
【００２１】
【実施例】
図１に、本発明の実施例における商品紹介システムによる設置状態の図を示す。
図１は、例えばショールームの壁面にスクリーンを貼り付ける等して、投影面１を構成している。そして、天井部分等に投影部２を設けている。投影部２は、投影する画像を蓄積し、投影部の制御を行う投影制御部（図示せず）より、投影画像データを受け取り投影面１に投影する。
なお、投影面については、直接壁面に形成してもよいし、貼り付けせず、情報より布状のスクリーンを吊り下げ設置してもよい。
また、図１の実施例では、投影面１の前面から投影可能なように投影部２を設けているが、投影面１の背面より投影するようにしてもよい。投影面１前面より投影するよう構成した場合、設置するための寸法確保が容易であり、投影面１背面より投影するよう構成した場合、投影する画像を見せて商品を紹介したいお客が投影面に近づいても影が映りこまないである、といった利点を各々持つことができる。
【００２２】
図１の構成がショールーム等に設置された場合、まず初期設定を行うのがよい。画像を投影する都度、等倍投影手段（図示せず）により同時に画像の比率やゆがみを調整するよう、投影部２や投影制御部に機能を持たせるようにしてもよいが、設置した初期状態や、投影部２のランプ交換等の際に、投影面１に投影される画像の比率やゆがみを調整しておく方が、等倍投影手段での調整負荷を減らすことができ、好適である。
【００２３】
なお、簡便な初期設定の方法としては、投影される画像の大きさや形状が事前に分かっている画像を投影面１に投影し、補正するのがよい。補正の際、投影部２と投影面１との取り付け角度によっては、投影される光軸が傾くことになるので、併せて画像のゆがみ（例えば四角い形状が台形にゆがんでしまう）を、補正しておくとよい。
【００２４】
初期設定の後、投影部２より投影面１に対し、紹介したい商品と略等倍の大きさの画像を投影する。略等倍の投影に当たっては、等倍投影手段として投影される画像データを、略等倍となるよう都度大きさ等の調整を行う。また、事前に投影時に略等倍となるよう、調整しておいてもよい。
【００２５】
例えば、投影部２に供給される画像データがスライドフィルム等の場合には、投影時に略等倍となるよう、投影部２での倍率を考慮した大きさで、フィルムに焼き付ける。あるいは、画像データが電子データであった場合には、画像処理を行うアプリケーションソフトで、画像データの大きさを調整しておくことができる。
【００２６】
なお、投影面１に投影される商品の画像について、例えば正面から水平方向で撮ったような商品の写真を元にする場合、大きさや形状に関して、略等倍（原寸大・実物大）が、画像を見るお客にとって違和感がないためお客にとって理解しやすいが、斜め等から見たようなパースがかかったような画像の場合、目が行きそうなところ（大体、画像の中で視線的に中心となるような部分）の大きさが略等倍とした方が、お客に商品を理解してもらいやすいこともある。この場合、投影される画像の状態に応じて、略等倍の寸法の基準となる場所を全体とせず、部分的に略等倍とあえて画像を調整してもよい。
【００２７】
また、紹介を行う商品の性質によっては、投影面１についての構成を変えてもよい。例えば、家具やシステムキッチンについて商品の形を先に決めている状態で、その扉やパネルを選ぶ際、対象となるのは色や柄である。このため、投影面を扉やパネルを模したものを投影面として柄を実際の商品のものと略等倍で投影することで、お客側での柄決めの理解を、より助けることができる。
また、扉そのものというように、現物を投影面として投影してもよい。扉だけでなく、壁やカーテン等といったものでも、適用することができる。
なお、現物を投影面とした場合、商品画像としての現実感が高いのは言うまでも無い。
【００２８】
次に、投影部を複数用いた場合の実施例について、図２を用いて説明する。
図２にでは、投影部２と投影部３というように、２つの投影部を設けている。２つの投影部から投影面１に投影される画像は、重複するように初期調整する。これによって、１つの投影部による画像よりも明るく鮮明な投影画像が得られることは当然として、各々の投影部を同じ明るさを持つ１つの投影部としたものよりも、一般に小型・軽量なものを用いることができる。このため、投影部２、３を設けるショールーム等の天井や壁での取り付け重量が分散されるため、１つのみとした場合よりも強度面で有利となる。これは、投影部の重量を考慮していない既設のショールームの天井や壁等に後付け設置する際に、好適である。
なお、複数の投影部を持つことで、故障の際でも、一方の投影部が正常に動作していれば、画像の投影が可能であるため、お客に対する商品の紹介を途中で中止しにくいショールーム等で、好適であることも、言うまでもない。
【００２９】
なお、複数の投影部を用いた場合の初期調整に関し、目視で行う場合には、各投影部から投影される色を変えると、投影面で重複する色に着目すればよいので、調整が楽になる。例えば、３個の場合、光の三原色を割り振れば、白色となった部分が、画像同士がきちんと調整がとれたことが、目視で判断できる。
【００３０】
さらに、複数の投影部から投影される画像について、異なったものを組み合わせることにより、より表現力が高く、商品を紹介するお客にとって理解しやすいシステムとすることができる。
例えば、図２の投影部２からの投影画像を背景として、投影部３からの投影画像を紹介したい商品とすることで、背景中の商品の雰囲気について、お客に紹介することができる。さらに具体的には、例えば背景画像が壁・床・天井等の色や柄であって、商品がその中に置かれた調度品や機器等とすれば、商品が部屋の雰囲気になっているか、お客が検討する上での理解を助けることができる。
また、これとは逆に商品が先に決まっている状態で、背景画像となる部屋の雰囲気の方を変えて、シミュレーションを行ってもよい。
【００３１】
なお、背景画像に対し、商品の画像を投影面で重なるよう投影する際、背景と商品とが混ざった画像となってしまうが、これについては、商品の画像データを元に、背景と重なる部分を背景画像から除外することができるようなマスク画像を作成することで、対応するようにしてもよい。
また、背景画像や商品画像については、一方をお客がショールーム等に持ち込み、本発明の商品紹介システムに取り込んで、投影させてもよい。
【００３２】
また、色や柄を決めず、商品の形を中心に選定した上で、商品のモデル（白色等）を投影しておいて、色や柄を投影し、お客の好みの色や柄の選定を行えるようにしてもよい。
【００３３】
さらに、投影される画像について静止画だけでなく、一方の投影部からの投影画像について動画を用いることもできる。動作や操作の説明を行った方が、商品を理解してもらいやすい場合、一方の投影部から動画として動作や操作を投影する。例えば、台所に設置されるシステムキッチンのような商品の場合、扉や引き出しの開き方や、組み込まれたコンロや食器洗浄機等の動作を、動画で示すことで、商品の理解を助けることができる。
【００３４】
なお、動画については、投影される画像全体を含めて動画する必要はなく、動作をお客に見せて理解してもらいたい部分のみを動画とするとよい。この場合、動画を電子データとして蓄積しているような場合には、投影画像全体を動画とするよりもデータ容量が小さいため、画像の動作が軽快であり、またメモリー等の記憶装置の容量も小さくて済むといった資源面でも、有利となる。
【００３５】
さらに、一方の投影部から投影する画像について、本発明のシステムを用いて商品を紹介する対象であるお客自身の姿を用いてもよい。お客自身の姿を画像として、略等倍（等身大）で投影することにより、商品の大きさといったものを現実感をもって理解するのを助けることができる。
なお、お客自身の画像については静止画でもよいが、動画とすることでより現実感を向上させ、お客の理解を助けることができる。動画として、実際に商品の紹介を受けている状態のお客の姿を投影してもよい。
【００３６】
また、お客自身の画像の代わりに、身長等の近い等身大の人物モデルを投影してもよい。予め、いくつかのモデルを準備しておくことで、都度お客の姿を画像として取り込んで表示するよりも、簡便な構成での投影が可能となる。
【００３７】
さらに、お客に商品を理解しやすくするため、お客の身長の違いによる視線高さからくる、商品の見え方の違いを表すよう、構成してもよい。お客の身長に対応した視線高さでの商品の見え方を画像として投影させる。投影する画像は、予め基準身長を定めてから準備した商品に画像に対し、基準身長とお客の身長との差から、画像を画像処理用のソフトウェアで変形させて得ることができる。例えば、システムキッチン等のような商品の場合、扉や引き出しといった表面にある部材は、どの身長のお客の視線の高さでも見た感じは殆ど変わらないが、システムキッチンの上面にある流し部分等は変わってくる。このため、基準身長を定めて準備したシステムキッチンの上面にある部分部分について、基準身長よりもお客の身長が高い場合、その部分を高さ方向に引き伸ばし、また逆に基準身長よりもお客の身長が低い場合、高さ方向で圧縮することで、より自然で理解しやすい画像とすることができる。なお、画像全体を通じて、変形させてもよい。
さらに、いくつかの基準身長を準備しておいて、各々に対応した商品画像にソフトウェアで加工して準備しておいてもよいし、商品を撮影する時点で、複数の基準身長に応じた視点での撮影を行っておいてもよい（例えば身長５ｃｍ刻みで撮影時のカメラ高さをこれに応じて変える）。
いずれの場合でも、例えば商品の三次元の座標データを準備して、三次元の画像表示を行うようなもののより、簡便な構成とすることができる。
【００３８】
また、投影部を複数用いた場合において、以上述べてきたような実際の商品画像や人物（お客や人物モデル）の重ね合わせという表現でなく、一方の投影部からの画像を、物以外としてもよい。
例えば、一方の投影部からの投影について、照明による雰囲気を模したものとしてもよい。これによれば、紹介したい商品そのものだけでなく、商品が置かれた環境での照明の色の違いや、採光の違いによる雰囲気を、お客に理解してもらうことができる。
さらに、老齢化に伴なう視力障害による見え方の違いをシミュレーションして、視認性の高い商品や設定についてお客に紹介するといったこともで、可能となる。
【００３９】
次に、投影面を複数用いた場合の実施例について、図３を用いて説明する。
図３では、投影面１として直角に組み合わせた２つのスクリーンを組み合わせて、複数の投影面（２つ）を構成している。なお、複数の投影面として、１つのスクリーンを投影面の数ごとに曲げて複数構成してもよいし、個別のスクリーンを組み合わせてもよく、結果的に複数の投影面を構成できればよい。
また、図３では各投影面に対して投影部２，３という複数（２つ）の投影部から、投影を行う。投影部２，３で各々投影される商品の画像については、１つの商品を各投影面の方向に準じた方向で撮影したもの等を用いる。
【００４０】
図３においては、例えばショールームの２つの壁面で構成されるコーナー部を２つ投影面として、システムキッチンを投影したものを模している。例示したシステムキッチンについては、Ｉ字状のように一方向から商品全体を確認できるものだけでなく、Ｌ字状に構成され一方向からでは商品全体を確認できないが、２つの投影面に投影された画像により、確認を行うことが、コンピュータによる仮想現実を利用したシステムよりも簡便な構成にて、可能となる。
【００４１】
なお、図３では壁と壁といったような構成での投影面の組み合わせであったが、組み合わせ方としては、壁と床、壁と天井等としてもよい。また、２つではなくそれ以上であってもよい。
例えば、住宅内に設置される機器の場合、床置きされるものが多いが、床に置いた際のイメージをお客に理解してもらうには、壁方向の投影面のみでは、今ひとつわかりにくいことがあるが、２つの投影面をショールームの壁面と床に角度を持たせて設置し、床部分の投影面には床材等の画像を、壁面の投影面には壁材等の画像を投影することで、理解しやすくことができる。
【００４２】
次に、本システムにおいて、説明者やシステムの操作を行うオペレータの負荷や、を紹介を行うデータ準備等の負荷を軽減する実施例について、図４を用いて説明する。
【００４３】
図４では、投影制御部として投影部制御用端末１４を設け、これをネットワーク（例えばインターネット１０）に接続している。インターネット１０には、さらに商品の紹介を受けたいお客のお客側端末１１と、ホームページ画面を通じて必要となるサービスを提供可能なＷｅｂサーバー１２、データを蓄積しておくデータサーバー１３が設けられている。
【００４４】
まず、投影部２にて投影される商品の画像データについては、投影部制御用端末１４に保管しておくだけでなく、データサーバー１３に保管しておいて、インターネット１０を経由して提供するよう、構成することができる。データサーバー１３に商品の画像データを保管しておくことで、投影部制御用端末１４に保管可能な量以上のデータを保管できるだけでなく、複数のショールーム等に設けられた投影部制御用端末１４に対して、共通して画像データを提供でき、複数の投影部制御用端末１４毎に保管しておくよりも、効率的である。また、画像データの更新も一括して行うことができるため、システムの操作を行うオペレータの画像データの更新作業負荷も、低減することが可能となる。
【００４５】
また、商品の紹介を受けたいお客が、お客側端末１１を通じて、商品紹介の予約を行うようにしてもよい。この場合、Ｗｅｂサーバー１２のホームページ画面を通じて、簡便に予約が可能となるよう設定することができる。ショールーム側担当が不在であっても、またお客自身の都合のよい時間や場所で予約ができ、利便性が高い。また、紹介を受けたいショールーム等の検索や、商品自体の検索もホームページ画面を通じて、簡単に行うこともできる。
なお、予めＷｅｂサーバー１２を介して商品の紹介を受けたいショールームや商品を予約してもらうことで、紹介を行う画像データを事前にデータサーバー１３や投影部制御用端末１４で準備しておくことができ、説明者やシステムの操作を行うオペレータの準備を省略して、その負荷を低減することが可能である。当然ながら、お客自身も、ショールーム等で商品の紹介を受ける際も、余分な準備時間を待つ必要がなく、効率的である。
【００４６】
また、データサーバー１３上にお客が紹介を受けたい商品のデータを準備しておくことで、紹介を予定していたショールームが変更となった場合でも、急に商品を紹介することとなったショールームの説明者やオペレータは、データサーバー１３から、お客が商品紹介を予定した商品の画像データ等を取り出すことで、別途準備作業をすることなく、商品の紹介作業に移ることが可能となる。
【００４７】
また、お客が、お客側端末１１を介して、商品紹介の予約を行い際、説明を受けたい商品を選定するだけでなく、お客が設置を予定している環境（部屋・家等）に関するデータを提供することで、ショールームでの商品紹介時点で、よりリアリティの高い商品紹介を受けることができる。
例えば、商品が設置される部屋、部屋の壁・床の様子を写真として準備し、商品の紹介予約の際、同時に提供することで、上記で述べた複数投影部における背景の画像投影や、複数投影面における壁・床・天井の投影といった商品紹介の際に、お客自身が予定している環境で、かつ略等倍であるため、商品の設置状態をシミュレーションでき、理解を高めることができる。
【００４８】
また、お客が提供するデータについては、画像データだけでなく、ＣＡＤデータといった図面に関するデータでもよい。実際には、まだ実際には存在しない設置環境（例えば模様替えを予定している部屋、新築・改築予定の家屋）について、お客自身が設定した状態をショールームでの商品紹介時に実現でき、お客の理解を、より助けることができる。
なお、ＣＡＤデータについては、例えば壁については壁の色や柄・模様といったデータが付されていない場合が多いが、この場合、ショールームでの商品紹介時点、もしくは事前で、データサーバー１３や投影部制御用端末１４で、柄・模様に関するデータを貼り付ける作業（マッピング）を行うようにしてもよい。商品を紹介したい側の商品（壁材等）の画像を用いることができるため、お客に対する訴求力を高めるようにすることもできる。
【００４９】
また、お客が提供するデータについては、１組である必要はなく、いくつかの候補案を自宅等で準備しておき、ショールームでの商品紹介の際に、候補案を次々投影して確認するように構成することもできる。
なお、お客がデータを提供する際に、商品との大きさ調整を簡略化する意味で、写真の場合には、大きさの基準となるものを一緒に撮影しておくとよい。画像データの加工を行う際に、これを元にスケールの調整ができるので、簡便である。
【００５０】
また、商品の紹介を実際に行う業者と、商品紹介の予約や画像データの準備を行うのが異なる業者であった場合（商品紹介仲介業者とする）、１つの商品紹介仲介業者とＷｅｂサーバー１２，データサーバー１３に対し、複数の商品紹介を行う業者と投影部制御用端末１４といった構成となる。この場合、商品の紹介を受けたいお客が、商品を設置したい環境について、画像やＣＡＤのデータを、商品紹介仲介業者のＷｅｂサーバー１２を通じて、データサーバー１３に一旦保管することができる。お客は、商品の紹介を行う複数の業者のショールームを訪れて、各々の業者の商品を用いた場合の商品と商品が設置される環境との組み合わせを比較することで、最も自身の都合（予算や好み）に応じたものを検討することができる。
【００５１】
なお、商品紹介仲介業者としては、商品の紹介を行う各業者より、お客のデータや紹介を行うことに対する仲介料を徴収するようにして、システムの運営に充ててもよい。さらに、商品の紹介の後、実際にお客に採用された場合の成功報酬を徴収するようにしてもよい。
【００５２】
また、商品の紹介を行いたいが、自身ではそれらのシステムを有しない業者（例えば中小規模の業者や、建屋のスペース上、商品紹介システムでさえも設置できない業者）の場合、商品の紹介システムを提供している業者から、一時的に借用することで、商品の説明を希望するお客へのサービスを提供することが可能となる。
お客は、商品の紹介システムを有しない業者に対し、例えばホームページを通じて、商品の紹介予約やデータの提供を行う。そして、商品の紹介システムを有しない業者が契約している商品の紹介システムを有する業者のショールームでの商品紹介予約や、お客への紹介日程等をフィードバックする。商品紹介の当日、お客は指定されたショールームにおいて、商品の紹介システムを有しない業者と合流の上、商品の紹介システムを用いて商品の紹介を行う。なお、商品の紹介自身も、商品の紹介システムを有する業者に委託してもよい。
【００５３】
なお、商品紹介システムを提供している業者は、商品紹介システムを提供して紹介を行う商品が略等倍で投影する際、非常に大きな場合には、商品の自身のショールームに設けたシステムでは納まりきれないことがあるが、その場合には別の商品紹介システムを提供している業者のシステムを代替提供してもよい。
例えば、大型の投影設備を一般に有する映画館等の設備において、通常の放映時間・期間以外を利用して商品画像を投影できるようにすれば、家屋サイズの大型商品でも画像投影が可能となる。
【００５４】
以上のように、実施例を用いて本発明の詳細について述べてきたが、本発明の内容は実施例記載の内容のみに限定されるものではなく、本発明の主旨を逸脱しない範囲で行うことができる。
【００５５】
【発明の効果】
以上述べてきたように、本発明によれば、画像を光学的に投影する投影部と、投影される画像を映し出す投影面とを有して、商品の画像を前記投影面に投影して商品の紹介を行う商品紹介システムにおいて、構成が簡便で、商品の紹介を行う紹介者等の負荷も抑えることができつつ、お客に商品をより商品をリアリティをもって実感させることが可能な商品紹介システムを提供することが、可能となる。
【図面の簡単な説明】
【図１】本発明の実施例における商品紹介システムによる設置状態の図
【図２】投影部を複数とした場合の図
【図３】投影面を複数とした場合の図
【図４】ネットワークを併用した場合のシステムの構成図
【符号の説明】
１…投影面、
２，３…投影部、
１０…インターネット、
１１…お客側端末、
１２…Ｗｅｂサーバー、
１３…データサーバー、
１４…投影部制御用端末
【図１】
2004246233.tif 000003
【図２】
2004246233.tif 000004
【図３】
2004246233.tif 000005
【図４】
2004246233.tif 000006